(57)【要約】【課題】透明電極の分割数を少なくしながら精度良く波面収差を補正できる収差補正素子、光ヘッドおよびそれを用いた光ディスク装置を提供することを目的とする。【解決手段】収差補正素子の基板の透明電極と対向する側の面を、非点収差のラジアル方向またはタンジェンシャル方向の位相分布形状となるような非球面の形状とし、透明電極を基板の曲面に倣った形状とし、透明電極の分割パターンを放射状の８分割領域とすることによって、透明電極の電極数が４個で非点収差を精度よく補正することができる。【選択図】図２
2010044829.tif 000002
【特許請求の範囲】
【請求項１】
印加された電界に応じて屈折率が変化する液晶層と、
前記液晶層を挟むように配設された一組の透明電極と、
前記一組の透明電極を両側から挟むように配設された一組の基板とを有する収差補正素子であって、
前記一組の基板の少なくとも一方は、前記一組の透明電極と対向する面の一部が非球面であることを特徴とする収差補正素子。
【請求項２】
前記非球面は、波面収差の位相分布形状であることを特徴とする請求項１記載の収差補正素子。
【請求項３】
前記位相分布形状は、非点収差の位相分布形状であることを特徴とする請求項２記載の収差補正素子。
【請求項４】
前記一組の透明電極の一方は、前記透明電極の中心部が前記透明電極面の略中心を起点に略等角度に８分割されていることを特徴とする請求項３記載の収差補正素子。
【請求項５】
印加された電界に応じて屈折率が変化する液晶層と、
前記液晶層を挟むように配設された一組の透明電極と、
前記一組の透明電極を両側から挟むように配設された一組の基板とを有する収差補正素子であって、
前記一組の基板の少なくとも一方は、前記一組の透明電極と対向する面の一部が１個の円と該円と同心円状の複数の円環状の平面に分割され、隣り合う前記平面は前記基板の厚さ方向の高さが異なることを特徴とする収差補正素子。
【請求項６】
前記複数の平面は、波面収差の位相分布形状に近似するように配置されていることを特徴とする請求項５記載の収差補正素子。
【請求項７】
前記位相分布形状は、非点収差の位相分布形状であることを特徴とする請求項６記載の収差補正素子。
【請求項８】
前記位相分布形状は、球面収差の位相分布形状であることを特徴とする請求項６記載の収差補正素子。
【請求項９】
前記一組の透明電極の一方は、前記透明電極の中心部が前記透明電極面の略中心を起点に略等角度に８分割されていることを特徴とする請求項７記載の収差補正素子。
【請求項１０】
半導体レーザから出射されたレーザ光を光ディスクに向けて集光するとともに、前記光ディスクから反射した戻りレーザ光を受ける対物レンズと、
前記半導体レーザと前記対物レンズの間の光路上に設けられ印加された電界に応じて屈折率が変化する液晶層と前記液晶層を挟むように配設された一組の透明電極と前記一組の透明電極を両側から挟むように配設された一組の基板を有する収差補正素子とを備えた光ヘッドであって、
前記一組の基板の少なくとも一方は、前記一組の透明電極と対向する面の一部が非球面であることを特徴とする光ヘッド。
【請求項１１】
前記非球面は、波面収差の位相分布形状であることを特徴とする請求項１０記載の光ヘッド。
【請求項１２】
前記位相分布形状は、非点収差の位相分布形状であることを特徴とする請求項１１記載の光ヘッド。
【請求項１３】
前記一組の透明電極の一方は、前記透明電極における前記対物レンズの有効径に相当する領域が前記透明電極面の略中心を起点に略等角度に８分割されていることを特徴とする請求項１２記載の光ヘッド。
【請求項１４】
半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極と前記一組の透明電極を両側から挟むように配設された一組の基板を有する収差補正素子とを備えた光ヘッドと、
前記光ヘッドの光検出器の出力から前記光ディスクの情報の再生信号を演算処理する演算回路とを備えた光ディスク装置であって、
前記一組の基板の少なくとも一方は、前記一組の透明電極と対向する面の一部が非球面であることを特徴とする光ディスク装置。
【請求項１５】
前記非球面は、波面収差の位相分布形状であることを特徴とする請求項１４記載の光ディスク装置。
【請求項１６】
前記位相分布形状は、非点収差の位相分布形状であることを特徴とする請求項１５記載の光ディスク装置。
【請求項１７】
前記一組の透明電極の一方は、前記透明電極における前記対物レンズの有効径に相当する領域が前記透明電極面の略中心を起点に略等角度に８分割されていることを特徴とする請求項１６記載の光ディスク装置。
【発明の詳細な説明】
【技術分野】
【０００１】
本発明は、収差補正素子、それを用いた光ヘッド及び光ディスク装置に関するものである。
【背景技術】
【０００２】
ＣＤ（Compact Disc）規格やＤＶＤ（Digital Versatile Disk）規格と呼ばれる複数種類の記録密度の光ディスクが既に広く普及しているが、近年、青紫色の波長のレーザ光を用いて情報を記録することにより、さらに記録密度が高められた超高密度光ディスクであるＢＤ(Blu-ray Disc)規格やＨＤ ＤＶＤ(High Definition Digital Versatile Disk)規格の光ディスクも実用化されている。
【０００３】
光ディスクへの記録や記録された情報を再生するための光ディスク装置の一部には、光ディスクの傾き、光ディスクの厚さ（光ディスクの外表面から記録層までの距離）のばらつき、光学素子や光ヘッドの組み立てにおける誤差等によって生ずるコマ収差、球面収差、非点収差等の収差を補正するため収差補正素子が用いられている。
【０００４】
例えばＤＶＤ規格においては２層記録の光ディスクが含まれており、１層目と２層目では光ディスクの外表面から記録層までの距離が約５５μｍほど異なる。従って光ディスクの厚さのばらつき以前に２層記録の光ディスクは球面収差を発生させる要因が存在している。またコマ収差は対物レンズの光軸と光ディスクの記録面の傾きによって発生し、タンジェンシャル方向（光ディスクのトラックの接線方向）の傾きによるコマ収差とラジアル方向（光ディスクの半径方向）の傾きによるコマ収差がある。
【０００５】
液晶を用いた収差補正素子は、液晶層とこの液晶層を挟むように配置されたガラス基板、ガラス基板の液晶層と接する面側に液晶に電界を印加する透明電極が配設されている。透明電極は収差の分布形状に合わせて複数のパターンに分割されている。液晶層の数をｎ(ｎは自然数)とすれば透明電極の数は２ｎ、ガラス基板の数はｎ＋１となり、液晶層の数１、透明電極の数２、ガラス基板の数２が最小構成となる。
【０００６】
液晶層の数および透明電極の数を増加するとガラス基板の数が増大し収差補正素子の厚さと重さが増加する。厚い収差補正素子は高密度に集積された光ヘッド内の部品配置を圧迫し、ひいては光ヘッドの設計自由度を低下させる要因となる。このため上記した最小構成の収差補正素子で精度よく、また、効率よく収差を補正することが求められる。
【０００７】
一例として、特許文献１では、球面収差の補正効果を高めるために液晶パネルに電圧を印加する電極のパターンを細かく分割する際に、外部から与える制御信号の数を増やさないようにする方法が考案されている。球面収差の位相の大きさの順から、同心円状のセグメント電極の同じ位相の大きさのセグメント電極を導通させようとすると、導通線同士の交差が起こるが、交差部に絶縁部を形成して電極で導通線を橋渡しすることで、交差しても導通線同士がショートしないようにしている。電圧制御部とセグメント電極との間を結ぶ導通線部が絶縁部を介してそれぞれ交差していることにより、どのようなパターン形状であっても電圧制御部での分圧を用いて外部からの信号線を減らすことを可能としている。
【特許文献１】特開２００２−１４３１４号公報
【発明の開示】
【発明が解決しようとする課題】
【０００８】
非点収差、球面収差、コマ収差等の波面収差を精度よく補正するには、それぞれの収差の分布パターンに合うように透明電極の分割数を増やしてやればよい。特許文献１のような方法によっても、分割数が多くなれば、信号線の数が多くなってしまう。しかしながら、電極数を増やすと、収差を補正する性能は向上するが、電極数が増えることによって信号線が増えたり、また駆動回路が複雑になるなどの問題がある。
【０００９】
図８は液晶を用いた一般的な収差補正素子１０１の断面図である。ガラス基板１０２、１０３の間に液晶分子を含む液晶層１０４が配設されている。ガラス基板１０２、１０３の内側表面（液晶層１０４側の面）には液晶に電界を印加する第１の透明電極１０５と第２の透明電極１０６が形成されている。ガラス基板１０２、１０３の厚さは約０．５〜１ｍｍ、液晶層１０４の厚さは数μｍ〜数十μｍ（マイクロメートル）である。この収差補正素子１０１の全体の厚さは約１〜２ｍｍである。第１及び第２の透明電極１０５、１０６は収差の分布状態によって複数の領域に分割されている。
【００１０】
図９は非点収差の分布の例を示す図である。非点収差は光軸外の収差で放射状に分布する。非点収差は光ヘッドの光学部品の組み立て誤差や対物レンズがトラッキング方向にシフトすることによって発生する。図９（ａ）は対物レンズの有効範囲における非点収差の分布を示す図である。図９（ｂ）、（ｃ）は図９（ａ）の分布のラジアル方向及びタンジェンシャル方向の軸上における非点収差の大きさの分布状態を示す図である。非点収差の分布は光軸中心が鞍点となっており、収差の大きさは光軸を中心に点対象となっている。ラジアル方向とタンジェンシャル方向では位相が逆であり、ラジアル方向及びタンジェンシャル方向の軸線上の外周部において大きな収差を生じる。またラジアル方向及びタンジェンシャル方向の軸線に対して４５度の傾きを持った方向の外周部において大きな収差を生じる場合もある。
【００１１】
図１０は非点収差を補正する第１の透明電極１０５の分割パターンを示す図である。光軸を中心として同心円状に５分割された領域と放射状に８分割されており、全部で４０個の領域に分割されている。非点収差の大きさは、光軸を中心に点対象となっているため、電極数は４０個の領域に対して半分の数となるが、２０個必要となる。
【００１２】
電極数が多くなると、制御回路のチャネル出力も多数必要となる。従って、透明電極の分割数はできるだけ少なくしながら、精度良く収差を補正できる収差補正素子が望まれている。
【００１３】
本発明は上記問題点を解決するためになされたもので、透明電極の分割数を少なくしながら精度良く波面収差を補正できる収差補正素子、光ヘッドおよびそれを用いた光ディスク装置を提供することを目的とする。
【課題を解決するための手段】
【００１４】
上記目的を達成するために、本発明の収差補正素子は、印加された電界に応じて屈折率が変化する液晶層と、前記液晶層を挟むように配設された一組の透明電極と、前記一組の透明電極を両側から挟むように配設された一組の基板とを有する収差補正素子であって、前記一組の基板の少なくとも一方は、前記一組の透明電極と対向する面の一部が非球面であることを特徴とする。
【００１５】
また、本発明の光ヘッドは、半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極と前記一組の透明電極を両側から挟むように配設された一組の基板を有する収差補正素子とを備えた光ヘッドであって、前記一組の基板の少なくとも一方は、前記一組の透明電極と対向する面の一部が非球面であることを特徴とする。
【００１６】
また、本発明の光ディスク装置は、半導体レーザから出射されたレーザ光を光ディスクに向けて集光するとともに、前記光ディスクから反射した戻りレーザ光を受ける対物レンズと、前記半導体レーザと前記対物レンズの間の光路上に設けられ印加された電界に応じて屈折率が変化する液晶層と前記液晶層を挟むように配設された一組の透明電極と前記一組の透明電極を両側から挟むように配設された一組の基板を有する収差補正素子とを備えた光ヘッドと、前記光ヘッドの光検出器の出力から前記光ディスクの情報の再生信号を演算処理する演算回路とを備えた光ディスク装置であって、前記一組の基板の少なくとも一方は、前記一組の透明電極と対向する面の一部が非球面であることを特徴とする。
【発明の効果】
【００１７】
本発明によれば、透明電極の分割数を少なくしながら精度良く波面収差を補正できる収差補正素子、光ヘッドおよびそれを用いた光ディスク装置を提供することができる。
【発明を実施するための最良の形態】
【００１８】
以下本発明の実施例について図面を参照しながら説明する。図１は本発明の実施の形態が適用可能な光ディスク装置の構成の一例を示す図である。図１に示す光ディスク装置１は、光ヘッド２を有する。光ヘッド２は、所定の波長のレーザ光１２を出力する半導体レーザ素子３を含む。なお、半導体レーザ素子３から出射されるレーザ光１２の波長は、光ディスク１０がＣＤ系であれば７８０ｎｍ、ＤＶＤ系であれば６５０ｎｍ、ＢＤ／ＨＤ ＤＶＤ系であれば４０５ｎｍである。
【００１９】
半導体レーザ素子３からのレーザ光１２は、偏光ビームスプリッタ４を通過した後、コリメートレンズ５よりコリメートされ、収差補正素子６、λ／４板および回折素子７を透過し、対物レンズ８により、光ディスク１０の記録再生面１０ａに集光される。ＤＶＤ系、ＢＤ／ＨＤ ＤＶＤ系は記録再生面が多層の場合がある。
【００２０】
光ディスク１０の記録再生面１０ａに集光されたレーザ光１２は、記録再生面１０ａで反射され、反射レーザ光１３として対物レンズ８に戻され、λ／４板および回折素子７、収差補正素子６、コリメートレンズ５を透過して偏光ビームスプリッタ４に戻される。偏光ビームスプリッタ４に戻された反射レーザ光１３は、偏光ビームスプリッタ４の反射面４ａで反射され、光検出器１１の受光面に結像される。
【００２１】
光検出器１１の受光面は、通常、所定形状かつ複数に分割されており、それぞれの受光領域において受光された光ビームの光強度に応じた電流が出力される。個々の受光領域から出力された電流は、図示しないＩ／Ｖ（電流−電圧）変換アンプにより電圧信号に変換された後、演算回路１４により、ＲＦ（再生）信号、フォーカスエラー信号およびトラックエラー信号等に利用可能に、演算処理される。なお、ＲＦ（再生）信号は、詳述しないが、所定の信号形式に変換され、もしくは所定のインタフェースを通じて、例えば一時記憶装置または外部記憶装置等に出力される。
【００２２】
演算回路１４により得られた信号はまた、サーボドライバ１５に供給され、対物レンズ８の焦点位置に所定のサイズで形成される光スポットを、対物レンズ８と光ディスク１０の記録再生面１０ａとの間の距離に一致するよう、対物レンズ８の位置を変化させるためのフォーカスエラー信号の生成に利用される。なお、フォーカスエラー信号は、対物レンズ８の位置を変位させるアクチュエータ９に対して対物レンズ８の位置を変化させるためのフォーカス制御信号を得るために利用され、フォーカスエラー信号に基づいて生成されたフォーカス制御信号が、アクチュエータ９に供給される。アクチュエータ９はこれにより、アクチュエータ９に保持された対物レンズ８は、光ディスク１０の記録再生面１０ａに対して、接近し、あるいは離れる方向（図１における左右方向）に、任意に移動される。
【００２３】
演算回路１４により得られた信号はまた、サーボドライバ１５に供給され、対物レンズ８の焦点位置に集光されたレーザ光１４の光スポットが光ディスク１０の記録再生面１０ａに記録されている記録マーク列もしくは予め形成されている案内溝すなわちトラックの概ね中心に案内されるよう対物レンズ８の位置を変化させるためのトラッキングエラー信号の生成に利用される。
【００２４】
なお、トラッキングエラー信号は、対物レンズ８の位置を変位させるアクチュエータ９に対して対物レンズ８の位置を所定の位置に変化させるためのトラッキング制御信号を得るために利用され、トラッキングエラー信号に基づいて生成されたトラッキング制御信号が、アクチュエータ９に供給される。従って、アクチュエータ９に保持された対物レンズ８は、光ディスク１０の記録再生面１０ａのラジアル方向すなわちトラックまたは記録マーク列と交差する方向に、任意に移動される。
【００２５】
すなわち、対物レンズ８は、サーボドライバ１５により、光ディスク１０の記録再生面１０ａに形成されているトラックまたは記録マーク列に、対物レンズ９により集光された光スポットの大きさが、その焦点距離において最小となるように、逐次制御される。
【００２６】
図２は、本発明の第１の実施の形態に係わる収差補正素子６の断面図である。基板１６、１７の間に液晶分子を含む液晶層１８が配設されている。基板１６、１７は、光を透過する樹脂材料やガラス等の材料が用いられる。基板１６、１７の内側表面（液晶層１８側の面）には液晶に電界を印加する第１の透明電極１９と第２の透明電極２０が形成されている。液晶層１８は、第１の透明電極１９と第２の透明電極２０の電圧差によって電界が印加されると液晶層１８の屈折率を変化させることができ、入射した光の位相を変化させることができる。収差補正素子６の動作は、サーボドライバ１５によって制御されている。
【００２７】
基板１６、１７の厚さは約０．５〜１ｍｍ、液晶層１８の厚さは数μｍ〜数十μｍ（マイクロメートル）である。この収差補正素子６の全体の厚さは約１〜２ｍｍである。外形は数ｍｍ角の正方形あるいはそれに近い長方形、または面積がほぼ同じような円形であってもよい。液晶層１８の周辺部には液晶を密封するための密封部材があるが、省略している。
【００２８】
基板１６の透明電極１９と対向する側の面は、その一部が対物レンズ８の有効範囲（開口範囲）を示す有効径２１の内側が非球面となっている。この非球面の形状は、波面収差の位相分布形状となっている。基板１６の透明電極１９と対向する側の面の断面の曲線は、ラジアル方向の非点収差、またはタンジェンシャル方向の非点収差の分布形状の曲線になっている。透明電極１９は、基板１６の曲面に倣った形状となっている。液晶層１８は、基板１６、１７と透明電極１９、２０の間の空間に充填されている。従って液晶層２４の断面形状は、非点収差のラジアル方向またはタンジェンシャル方向の位相分布形状となっている。基板１６は、液晶層１８の電圧非印加時の屈折率と同様の屈折率を持つ材料を用いてもよい。なお非球面の範囲は一部ではなく基板１６の外縁部まで及んでもよい。
【００２９】
図３は、透明電極１９の分割パターンを示す図である。透明電極１９の中心部は透明電極面の略中心を起点に略等角度に８分割されている。透明電極１９は、透明電極面の略中心を起点として、ラジアル方向の分割線２２ａ、２２ｅ、タンジェンシャル方向の分割線２２ｃ、２２ｇ、ラジアル方向に対して略±４５°の傾斜した分割線２２ｂ、２２ｈ、ラジアル方向に対して略±１３５°の傾斜した分割線２２ｄ、２２ｆの８本の分割線により８個の領域２３ａ〜２３ｈに分割されている。透明電極面の中心と有効径２１の中心は略一致しており、分割線２２ｂ、２２ｄ、２２ｆ、２２ｈは、有効径２１との交点から外側において、ラジアル軸と略平行になっている。したがって透明電極１９における有効径２１に相当する領域が透明電極面の略中心を起点に略等角度に８分割されている。
【００３０】
非点収差の大きさは、光軸を中心に点対象となっているため、電極数は４個でよい。なお透明電極の分割パターンは透明電極２０に適用してもよい。非点収差の補正を少ない電極数で精度よく補正することができる。
【００３１】
以上のように、基板１６の透明電極１９と対向する側の面を、非点収差のラジアル方向またはタンジェンシャル方向の位相分布形状となるような非球面の形状とし、透明電極１９を基板１６の曲面に倣った形状とし、透明電極１９の分割パターンを領域２３ａ〜２３ｈのように８分割とすることによって、透明電極の電極数が４個で非点収差を精度よく補正することができる。
【００３２】
図４は、本発明の第２の実施の形態に係わる収差補正素子２４を示す図である。図４（ａ）は、基板２５側から見た平面図であり、図４（ｂ）はラジアル方向の断面図である。基板２５、２６の間に液晶分子を含む液晶層２７が配設されている。基板２５、２６の内側表面（液晶層２７側の面）には液晶に電界を印加する第１の透明電極２８と第２の透明電極２９が形成されている。収差補正素子２４は、ラジアル方向の断面形状とタンジェンシャル方向の断面形状が同一である。
【００３３】
基板２５は、透明電極２８と対向する面が、１個の円とこの円と同心円状の複数の円環状の平面と外縁部の平面に分割されている。また、１個の円と複数の円環状の平面は、隣り合う平面は基板の厚さ方向の高さが異なっている。中心部分が円３０ａでその外側が同心円状の円環３０ｂ〜３０ｅ、外縁部の平面が外縁平面３０ｆである。これらの円３０ａと複数の円環状平面３０ｂ〜３０ｅは、波面収差の位相分布形状に近似するように配置されている。この位相分布形状は、非点収差のラジアル方向またはタンジェンシャル方向の位相分布形状である。収差補正素子２４の基板２５の円３０ａと複数の円環状平面３０ｂ〜３０ｅは、図２で説明した収差補正素子６の曲面形状を同心円状の１個の円形平面と４個の円環状平面で近似している。
【００３４】
図５は、透明電極２８の分割パターンを示す図である。収差補正素子２４の透明電極２８の分割パターンは、図３で説明した収差補正素子６の透明電極１９の分割パターンと同じである。透明電極２８の中心部は透明電極面の略中心を起点に略等角度に８分割されている。透明電極２８は、透明電極面の略中心を起点として、ラジアル方向の分割線３２ａ、３２ｅ、タンジェンシャル方向の分割線３２ｃ、３２ｇ、ラジアル方向に対して略±４５°の傾斜した分割線３２ｂ、３２ｈ、ラジアル方向に対して略±１３５°の傾斜した分割線３２ｄ、３２ｆの８本の分割線により８個の領域３３ａ〜３３ｈに分割されている。透明電極面の中心と有効径２１の中心は略一致しており、分割線３２ｂ、３２ｄ、３２ｆ、３２ｈは、有効径２１との交点から外側において、ラジアル軸と略平行になっている。したがって透明電極２８における有効径２１に相当する領域が透明電極面の略中心を起点に略等角度に８分割されている。
【００３５】
非点収差の大きさは、光軸を中心に点対象となっているため、電極数は４個でよい。なお透明電極の分割パターンは透明電極２９に適用してもよい。非点収差の補正を少ない電極数で精度よく補正することができる。
【００３６】
以上のように、基板２５の透明電極２８と対向する側の面を、円形平面３０ａと複数の円環状平面３０ｂ〜３０ｅによって、波面収差の位相分布形状に近似するように配置し、透明電極２８を基板２５の面に倣った形状とし、透明電極２８の分割パターンを領域３３ａ〜３３ｈのように８分割とすることによって、透明電極の電極数が４個で非点収差を精度よく補正することができる。
【００３７】
図６は、球面収差の分布の例を示す図である。光ディスクの基板の厚さ（光ディスクの外表面から記録再生面までの距離）のばらつきによって球面収差が発生する。図６（ａ）は対物レンズの有効範囲（開口範囲）における球面収差の分布を示す図である。球面収差は対物レンズを通過するレーザ光の光軸からの距離によって位相の進み遅れが生じるため、位相の進み遅れの状態が光軸を中心に同心円状に出現する。図６（ｂ）は図６（ａ）の分布のラジアル方向の軸上における球面収差の大きさの分布状態を示す図である。球面収差は光軸中心部と外周部においては同位相の進みまたは遅れが発生し、その中間部では光軸中心部または外周部と逆位相の進みまたは遅れが発生する。図６（ｂ）に示すように光軸中心部と外周部において収差が最も大きくなっている。
【００３８】
図７は、本発明の第３の実施の形態に係わる収差補正素子３４を示す図である。図７（ａ）は、基板３５側から見た平面図であり、図７（ｂ）はラジアル方向の断面図である。基板３５、３６の間に液晶分子を含む液晶層３７が配設されている。基板３５、３６の内側表面（液晶層３７側の面）には液晶に電界を印加する第１の透明電極３８と第２の透明電極３９が形成されている。収差補正素子３４は、ラジアル方向の断面形状とタンジェンシャル方向の断面形状が同一である。
【００３９】
基板３５は、透明電極３８と対向する面が、１個の円形平面とこの円形平面と同心円状の複数の円環状の平面と外縁部の平面に分割されている。また、１個の円形平面と複数の円環状の平面は、隣り合う平面は基板の厚さ方向の高さが異なっている。中心部分が円形平面４０ａ、その外側が同心円状の円環状平面４０ｂ〜４０ｅ、外縁部の平面が外縁平面４０ｆである。これらの円形平面３０ａと複数の円環状平面４０ｂ〜４０ｅは、波面収差の位相分布形状に近似するように配置されている。この位相分布形状は、球面収差の位相分布形状である。
【００４０】
基板３５の円形平面４０ａと複数の円環状平面４０ｂ〜４０ｅは、図６で説明した球面収差の大きさの分布形状を同心円状の１個の円形平面と４個の円環状平面で近似している。この球面収差の補正は、透明電極の電極数は１個でよいことになる。液晶層３７の基板３５、３６で挟まれた厚さ方向の厚さに比例して入射した光の位相を変化させることができる。
【００４１】
以上のように、基板３５の透明電極３８と対向する側の面を、円形平面４０ａと複数の円環状平面４０ｂ〜４０ｅによって、球面収差の位相分布形状に近似するように配置し、透明電極３８を基板３５の面に倣った形状とすることによって、透明電極の電極数が１個で非点収差を精度よく補正することができる。
【００４２】
本発明は以上の構成に限定されるもではなく種々の変形が可能である。
【図面の簡単な説明】
【００４３】
【図１】本発明の実施の形態が適用可能な光ディスク装置の構成の一例を示す図。
【図２】本発明の第１の実施の形態に係わる収差補正素子の断面図。
【図３】透明電極の分割パターンを示す図。
【図４】本発明の第２の実施の形態に係わる収差補正素子を示す図。
【図５】透明電極の分割パターンを示す図。
【図６】球面収差の分布の例を示す図。
【図７】本発明の第３の実施の形態に係わる収差補正素子を示す図。
【図８】一般的な収差補正素子の断面図。
【図９】非点収差の分布の例を示す図。
【図１０】非点収差を補正する第１の透明電極の分割パターンを示す図。
【符号の説明】
【００４４】
１  光ディスク装置
２  光ヘッド
３  半導体レーザ
６  収差補正素子
８  対物レンズ
９  アクチュエータ
１０  光ディスク
１４  演算回路
１５  サーボドライバ
１６  基板
１７  基板
１８  液晶層
１９  第１の透明電極
２０  第２の透明電極
【図１】
2010044829.tif 000003
【図２】
2010044829.tif 000004
【図３】
2010044829.tif 000005
【図４】
2010044829.tif 000006
【図５】
2010044829.tif 000007
【図６】
2010044829.tif 000008
【図７】
2010044829.tif 000009
【図８】
2010044829.tif 000010
【図９】
2010044829.tif 000011
【図１０】
2010044829.tif 000012